(57)【特許請求の範囲】
【請求項１】
一面に開閉自在な面体を備えた長方体からなる筐体を支柱上端の支持板体により支持板体上にて一定角度回動自在に支持するとともに、筐体が一定角度以上回動すると支持板体が筐体の回動面よりはみ出し上記筐体の開閉自在な面体の開放に支障となることを防ぐべく、長方形状からなる筐体の回動面内に位置する支持板体は、長径方向を上記筐体の回動面と同方向とする長方形状の板体の四隅を切り欠くとともに、この切欠部は支持板体に対する筐体の最大回動角度と同一角度で切り欠かれてなることを特徴とする筐体支持構造。
【発明の詳細な説明】
【０００１】
【発明の属する技術分野】
本発明は、屋外に設置される表示装置など一面にメンテナンス等のための開閉自在な面体を備えた比較的大型な装置の筐体を支柱上に支持固定する筐体支持構造に係り、特に筐体の回動面を広く支持する支柱上端の支持板体が筐体を回動調整可能に係合する構造とするとともに、開放面体を開放した際、支持板体が支障となることなくスムースな開放を行うことができる筐体支持構造に関するものである。
【０００２】
【従来の技術】
従来、屋外に設置される表示装置などの比較的大型な装置にあっては、地面や基台に設置される支柱の上端に、筐体の回動面を広く支持する長方形状の支持板体が固定されている。筐体の回動面には、ネジ孔からなる係合部が数個形成されるとともに、支持板体にはそのネジ孔に螺合するボルトを挿通する孔部が穿設され、支柱上に筐体を取り付け、取り外し自在に固定する筐体支持構造が用いられている。
【０００３】
【発明が解決しようとする課題】
この筐体支持構造は、広い支持面積を有する支持板体が筐体を支持するという安定した構造であるが、筐体を支柱上に設置固定する際に、表示装置であればその表示面を好適な向きに合わせるべく水平方向に回動調整することが求められている。そのためには、支持板体のボルトを挿通する孔部を同心円状の長孔にすることが行われる。しかし、このような構造において筐体を回動させた場合には、支持板体と筐体の回動面との重なり具合が水平方向にずれて、支持板体の外周部分が回動面の外周縁からはみ出てしまうこととなる。この状態にあっては、筐体の正面が下方向に開閉自在な面体であった場合には、その丁番の動作範囲内に支持板体のはみ出た外周部分が延在し、これが障害となって開放面体が開放し得ないというトラブルが生じていた。
【０００４】
そこで本発明は、広い支持面積を有する支持板体が筐体を支持する筐体支持構造において、支持板体に対して筐体を回動自在としつつも筐体における開放自在な面体を開放する場合であっても支持板体に妨げられることなく自在に開放することができる筐体支持構造の提供を目的とする。
【０００５】
【課題を解決するための手段】
上記目的を達成するため、本発明の筐体支持構造は、一面に開閉自在な面体を備えた長方体からなる筐体を支柱上端の支持板体により支持板体上にて一定角度回動自在に支持するとともに、筐体が一定角度以上回動すると支持板体が筐体の回動面よりはみ出し上記筐体の開閉自在な面体の開放に支障となることを防ぐべく、長方形状からなる筐体の回動面内に位置する支持板体は、長径方向を上記筐体の回動面と同方向とする長方形状の板体の四隅を切り欠くとともに、この切欠部は支持板体に対する筐体の最大回動角度と同一角度で切り欠かれてなることを特徴とするものである。
【０００６】
【発明の実施の形態】
図１は、本発明の筐体支持構造を示しており、１は大型な表示装置等の筐体、２は筐体１の正面若しくは背面であって下辺２ａを開閉の支点として下方向に開閉自在な面体、３は筐体１が支持される底面である回動面、４は回動面３の中央部分に形成されたネジ孔からなる係合部、５は筐体１の回動面３を広い面積で支持する支持板体、６は筐体１の回動面３の係合部４と係合するボルト７を挿通する同心円状の長孔からなる孔部、８は支柱であり支持板体５をその上端に固定している。９は、支柱８内にケーブル類を通すためのケーブルダクトである。
【０００７】
上記支持板体５は、かなりの大きさと重量からなる筐体１を確実かつ安定に支持すべく筐体１の回動面３と広い面積で当接して支持するものであり、本来筐体１の回動面３と同一形状の長方形状とすることが最も確実な支持形態である。
【０００８】
このような構造的要請がある一方、筐体１は現場に設置されるに際して、例えば表示装置であればその表示面を好適な向きに合わせるべく水平方向に回動調整することが求められている。図２は支持板体５に支持された筐体１が水平方向に回動する範囲を下方から見たものであり、筐体１はセンター振り分けで約±２２．５度の範囲で回動可能としている。また、筐体１の内部をメンテナンスするためには、どのような固定状態であっても面体２を開放自在とする必要があり、図３に示すごとく、筐体１の面体２は下辺２ａを開閉の支点として適宜な角度、例えば９０〜１８０度の範囲、下方に傾斜する構造を有している（面体２を固定するストッパー部材は図示せず）。
【０００９】
すなわち、上記支持板体５を筐体１の回動面３と同一形状若しくは若干小径な長方形状とした場合には、筐体１を支持板体５に対して水平方向に回動した状態で面体２を開放しようとすると、面体２の開閉の支点となる下辺２ａ下に支持板体５が位置してしまい、面体２を開放できなくなるものである。
【００１０】
そこで、本発明にあっては、筐体１が最大の±２２．５度回動した位置で面体２を開放するのに支持板体５が邪魔にならないように、支持板体５の外周部分である四隅の内側を２２．５度（若しくはそれ以上）の角度で三角形に切り欠いた切欠部５ａを形成し、図２に示すごとく、菱形に似た八角形とするものである。支持板体５をこのような形状とすることにより、筐体１を支持板体５に対して水平方向に最大角度の２２．５度回動しても、支持板体５の外周縁は筐体１の下辺２ａに重なることなく、その内側に平行に位置することで面体２の開閉に全く支障が生じないものである。
【００１１】
尚、筐体１が支持板体５に対して９０度以上の回動範囲を有する場合であっても、支持板体５の切欠部５ａの切欠角度を９０度を超える角度にする必要はなく、最大９０度とすれば支持板体５が最小の正方形（長方形）形状となって面体２の開放に支障がなくなるものである。
【００１２】
【発明の効果】
以上詳述した如く、本発明の筐体支持構造によれば、支持板体が筐体を広い支持面積で安定して支持することができるとともに、支持板体に対して筐体を回動自在としつつも筐体における開放自在な面体を開放する場合であっても支持板体に妨げられることなく自在に開放することができるものである。
【００１３】
また、回動自在な筐体は長方体とするとともに、長方形状からなる筐体の回動面内に位置する支持板体は、長径方向を上記筐体の回動面と同方向とする長方形状の板体の四隅を切り欠いてなることで、支持板体は筐体の面体の開放に支障とならないとともに、筐体を広い支持面積で安定して支持することができる。
【００１４】
また、支持板体の切欠部は、該支持板体に対する筐体の最大回動角度と同一角度で切り欠かれることで、筐体の回動面に当接して支持する支持板体の面積を極力広くしつつも、筐体の面体の開放に支障が生じることがない。
【図面の簡単な説明】
【図１】  本発明の筐体支持構造を示す分解斜視図である。
【図２】  本発明の筐体支持構造を表す支持板体と筐体の回動面との位置関係を示す説明図である。
【図３】  本発明の筐体支持構造を示す側面図である。
【符号の説明】
１  筐体
２  面体
３  回動面
４  係合部
５  支持板体
５ａ  切欠部
６  孔部
７  ボルト
８  支柱
９  ケーブルダクト
【図１】
0003790957.tif 000002
【図２】
0003790957.tif 000003
【図３】
0003790957.tif 000004